(57)【要約】      （修正有）【課題】受信波から複数チャンネルの高周波信号を抽出する際、ＡＧＣ制御によって各チャンネルの高周波信号のレベル差を低減し、複数チャンネルの受信品質の向上等を図る。【解決手段】受信波Sinに含まれる複数チャンネルの高周波信号をＲＦフィルタ1aで抽出し、可変フィルタ回路1bでレベル調整した信号ScpをＲＦアンプ４へ供給する。周波数選択回路2cが、可変フィルタ回路1bの帯域幅を、各復調処理系統での検波レベル信号Sdc1,Sdc2,Sdcn中の大レベルに対応するチャンネルの選択帯域幅ＢＷiに設定し、ゲイン制御回路2aが、選択帯域幅ＢＷiにおける減衰量を、大レベルに対応する減衰量αjに設定する。可変フィルタ回路1bが、ＲＦフィルタ1aで抽出される複数チャンネルの高周波信号のうち、選択帯域幅ＢＷiを通過する高周波信号を減衰量αjで減衰させることで、複数チャンネルの高周波信号レベル差を低減するように調整する。【選択図】図３
2008103848.tif 000002
【特許請求の範囲】
【請求項１】
受信アンテナで受信される受信波に含まれる複数の所定チャンネルの高周波信号をＡＧＣ制御によってレベル調整し、受信機内の周波数変換手段を介して前記複数の所定チャンネル分の復調処理系統に供給する高周波信号受信装置であって、
前記各復調処理系統で生成される受信感度を示す所定の各信号のレベルを比較し、各信号に対応する前記高周波信号のチャンネルの帯域幅を判定する周波数選択手段と、
前記受信感度を示す所定の各信号のレベルに対応する減衰量を設定するゲイン制御手段と、
前記受信アンテナと前記周波数変換手段の間に接続され、前記複数の所定チャンネルの高周波信号のうち、前記周波数選択手段で判定される前記帯域幅内の高周波信号を前記ゲイン制御手段で設定される減衰量で減衰させる可変フィルタ手段と、
を備えることを特徴とする高周波信号受信装置。
【請求項２】
受信アンテナで受信される受信波に含まれる複数の所定チャンネルの高周波信号を周波数変換手段で周波数変換信号に周波数変換し、前記周波数変換信号に基づいて前記複数の所定チャンネル分の復調処理系統で復調処理することで複数チャンネル分の復調信号を生成する受信機であって、
前記各復調処理系統で生成される受信感度を示す所定の各信号のレベルを比較し、各信号に対応する前記高周波信号のチャンネルの帯域幅を判定する周波数選択手段と、
前記受信感度を示す所定の各信号のレベルに対応する減衰量を設定するゲイン制御手段と、
前記受信アンテナと前記周波数変換手段の間に接続され、前記複数の所定チャンネルの高周波信号のうち、前記周波数選択手段で判定される前記帯域幅内の高周波信号を前記ゲイン制御手段で設定される減衰量で減衰させる可変フィルタ手段と、
を備えることを特徴とする受信機。
【請求項３】
前記受信感度を示す所定の各信号は、前記各復調処理系統で生成される各希望信号のレベルを検波した検波レベル信号であること、
を特徴とするを特徴とする請求項１に記載の高周波信号受信装置。
【請求項４】
前記受信感度を示す所定の各信号は、前記各復調処理系統で生成される各希望信号であること、
を特徴とするを特徴とする請求項１に記載の高周波信号受信装置。
【請求項５】
前記受信感度を示す所定の各信号は、前記各復調処理系統で生成される中間周波数のＩＦ信号であること、
を特徴とする請求項１に記載の高周波信号受信装置。
【請求項６】
前記受信感度を示す所定の各信号は、前記各復調処理系統で生成される復調信号であること、
を特徴とする請求項１に記載の高周波信号受信装置。
【請求項７】
前記受信感度を示す所定の各信号は、前記各復調処理系統で生成される各希望信号のレベルを検波した検波レベル信号であること、
を特徴とするを特徴とする請求項２に記載の受信機。
【請求項８】
前記受信感度を示す所定の各信号は、前記各復調処理系統で生成される各希望信号であること、
【請求項９】
前記受信感度を示す所定の各信号は、前記各復調処理系統で生成される中間周波数のＩＦ信号であること、
を特徴とする請求項２に記載の受信機。
【請求項１０】
前記受信感度を示す所定の各信号は、前記各復調処理系統で生成される復調信号であること、
を特徴とする請求項２に記載の受信機。
【請求項１１】
前記受信感度を示す所定の各信号は、前記各復調処理系統で生成される復調信号のビットエラーレート（BER：Bit Error Rate)であること、
を特徴とする請求項２に記載の受信機。
【発明の詳細な説明】
【技術分野】
【０００１】
本発明は、例えば、無線受信機のフロントエンドやアンテナ入力装置等に設けられる高周波信号受信装置に関し、特に、受信アンテナで受信される高周波数・広帯域の受信波に含まれている複数チャンネル（物理チャンネル）の高周波信号を自動的にレベル調整して受信する高周波信号受信装置に関する。
【背景技術】
【０００２】
近年、衛星を使用して無線伝送するディジタル放送（以下、「衛星ディジタル放送」と称する）と、地上アンテナを使用して無線伝送するディジタル放送（以下、「地上ディジタル放送」と称する）とを、所定の無線送信帯を利用してサイマル放送し、ユーザ側の受信機で良好な受信状態の得られる放送を選択等できるようにしたり、有用なサービスを有機的に提供するディジタル放送システムが考えられ、一部の地域では既に放送が開始されている。米国では、XM（XM Satellite Radio Inc.）と、シリウス（Sirius Satellite Radio Inc.）の２社がサービスを行っている。
【０００３】
また、一般に、高層ビルの多い都市部等では、衛星ディジタル放送に較べて地上ディジタル放送の方が良好な受信品質が得られ、建築物が少ない平坦な場所等では、地上ディジタル放送に較べて衛星ディジタル放送の方が良好な受信品質が得られることから、衛星ディジタル放送と地上ディジタル放送との長所を効果的に活用し、自動車を運転する運転者等に対し、都市部等と平坦な場所等の何れの場所を走行中であっても、良好な受信品質の下で受信できるようにし、有用な情報を間断なく提供できるようにしている。
【０００４】
図１は、このディジタル放送システムで提供されるサイマル放送を受信する従来の受信機の構成を示している。
【０００５】
この受信機では、受信アンテナで受信される高周波数・広帯域の受信波Ｓinから、所定の通過帯域幅ＢＷを有する初段のＲＦフィルタによって衛星ディジタル放送と地上ディジタル放送との複数チャンネル（物理チャンネル）分の高周波信号（つまり、高周波数の受信信号）Ａ1，Ａ2，Ａ3を一括して帯域選択し、次に、ＲＦアンプで高周波信号Ａ1，Ａ2，Ａ3を一括して増幅してから、初段側の混合器で局発信号ω0を混合することで周波数変換信号Ｓcvに一括してダウンコンバートする。
【０００６】
例えば、高周波信号Ａ1とＡ3が衛星ディジタル放送、高周波信号Ａ2が地上ディジタル放送となっており、これら３つの放送が各チャンネル（物理チャンネル）の帯域を使用してサイマル放送されている場合には、３チャンネル分の高周波信号Ａ1，Ａ2，Ａ3をＲＦフィルタで一括して帯域選択し、ＲＦアンプで更に一括して増幅してから、初段の混合器で一括してダウンコンバートする。これにより、高周波信号Ａ1，Ａ2，Ａ3のダウンコンバートされた信号Ｂ1，Ｂ2，Ｂ3を含む周波数変換信号Ｓcvが生成される。
【０００７】
更に、上述のＲＦアンプは、自動的に利得を調整する広帯域ＡＧＣアンプで形成されており、レベル検波器が周波数変換信号Ｓcvに含まれている信号Ｂ1，Ｂ2，Ｂ3のレベルを検波し、その検波レベル（ＡＧＣ電圧）に基づいてＲＦアンプ（広帯域ＡＧＣアンプ）をＡＧＣ制御（Automatic Gain Control）することで、上述の利得を自動的に調整している。
【０００８】
次に、周波数変換信号Ｓcvが３チャンネル分の各復調処理系統に供給され、周波数変換信号Ｓcvに含まれている各信号Ｂ1，Ｂ2，Ｂ3を各復調処理系統が復調処理することで、上述の衛星ディジタル放送の復調信号Ｓ1，Ｓ3と地上ディジタル放送の復調信号Ｓ2を生成している。
【０００９】
つまり、図１に示す第１の復調処理系統では、後段側の第１混合器が周波数変換信号Ｓcvに選局用の局発信号ω1を混合することで中間周波数の信号にダウンコンバートし、更にＩＦフィルタが中間周波数の信号からＩＦ信号ＩＦ1を抽出し、ＩＦアンプがＡＧＣ制御によってレベル調整した後、復調器が復調処理することで衛星ディジタル放送の復調信号Ｓ1を生成する。
【００１０】
また、第２の復調処理系統では、後段側の第２混合器が周波数変換信号Ｓcvに選局用の局発信号ω2を混合することで中間周波数の信号にダウンコンバートし、更にＩＦフィルタが中間周波数の信号からＩＦ信号ＩＦ2を抽出し、ＩＦアンプがＡＧＣ制御によってレベル調整した後、復調器が復調処理することで、地上ディジタル放送の復調信号Ｓ2を生成する。
【００１１】
また、第３の復調処理系統でも同様に、後段側の第３混合器が周波数変換信号Ｓcvに選局用の局発信号ω3を混合することで中間周波数の信号にダウンコンバートし、更にＩＦフィルタが中間周波数の信号からＩＦ信号ＩＦ3を抽出してＩＦアンプがレベル調整した後、復調器が復調することで他方の衛星ディジタル放送の復調信号Ｓ3を生成する。
【００１２】
そして、図示しない所定の信号処理部が、復調信号Ｓ1，Ｓ2，Ｓ3のうち、より良好な受信品質の得られる復調信号を選択してデコード等することで、有用な情報を間断なく提供できるようにしている。
【発明の開示】
【発明が解決しようとする課題】
【００１３】
ところで、上記従来の受信機では、一般には初段側の混合器でダウンコンバートされた周波数変換信号Ｓcv内の全ての信号（信号Ｂ1，Ｂ2，Ｂ3）をレベル検波器がレベル検波し、最も大きい信号レベルの検波レベルに基づいて、ＲＦアンプ（広帯域ＡＧＣアンプ）の利得をＡＧＣ制御することで、上記例示した３チャンネル分の高周波信号Ａ1，Ａ2，Ａ3を一括して（帯域幅ＢＷにおいて同じ利得で）レベル調整している。
【００１４】
ところが、受信環境や受信状態に依存して、不可避的に、受信波Ｓinに含まれる各々の高周波信号Ａ1，Ａ2，Ａ3のレベルに差が生じると、そのレベル差を有する高周波信号Ａ1，Ａ2，Ａ3が初段のＲＦフィルタを介してＲＦアンプ（広帯域ＡＧＣアンプ）に入力することとなり、従来のＡＧＣ制御が行われると、ダウンコンバート後の信号Ｂ1，Ｂ2，Ｂ3のレベルにも差が生じてしまう。
【００１５】
例えば上述の高周波信号Ａ1，Ａ3に較べて高周波信号Ａ2のレベルが大きくなった場合、信号Ｂ2の検波レベルに基づいてＲＦアンプ（広帯域ＡＧＣアンプ）がＡＧＣ制御される結果、高周波信号Ａ2のレベルに較べて高周波信号Ａ1，Ａ3のレベルが大幅に減衰された状態で、初段側の混合器に入力され、ダウンコンバート後の信号Ｂ2のレベルに較べて信号Ｂ1，Ｂ3のレベルが極めて小さくなってしまう場合がある。
【００１６】
このように、受信波Ｓinに含まれる各々の高周波信号Ａ1，Ａ2，Ａ3のレベルに差が生じると、周波数変換信号Ｓcvに含まれる信号Ｂ1，Ｂ2，Ｂ3のレベルにも差が生じることとなり、各復調処理系統で各信号Ｂ1，Ｂ2，Ｂ3を復調する際に、復調できなくなる場合があった。
【００１７】
例えば、信号Ｂ2のレベルに較べて信号Ｂ1，Ｂ3のレベルが極めて小さくなってしまうと、第１，第３の復調処理系統では、復調不能となったり、復調信号Ｓ1，Ｓ3の信号対雑音比（ＳＮ比）が悪化する等の問題を招来する場合があった。
【００１８】
本発明は、こうした従来の問題に鑑みてなされたものであり、受信波から複数チャンネルの高周波信号を抽出する際、ＡＧＣ制御によって各チャンネルの高周波信号のレベル差を低減することによって、複数チャンネルの受信品質の向上等を図ることを可能にする高周波信号受信装置を提供することを目的とする。
【００１９】
また、本発明は、上述の高周波信号受信装置を備えた受信機を提供することを目的とする。
【課題を解決するための手段】
【００２０】
請求項１に記載の発明は、受信アンテナで受信される受信波に含まれる複数の所定チャンネルの高周波信号をＡＧＣ制御によってレベル調整し、受信機内の周波数変換手段を介して前記複数の所定チャンネル分の復調処理系統に供給する高周波信号受信装置であって、前記各復調処理系統で生成される受信感度を示す所定の各信号のレベルを比較し、各信号に対応する前記高周波信号のチャンネルの帯域幅を判定する周波数選択手段と、前記受信感度を示す所定の各信号のレベルに対応する減衰量を設定するゲイン制御手段と、前記受信アンテナと前記周波数変換手段の間に接続され、前記複数の所定チャンネルの高周波信号のうち、前記周波数選択手段で判定される前記帯域幅内の高周波信号を前記ゲイン制御手段で設定される減衰量で減衰させる可変フィルタ手段と、を備えることを特徴とする。
【００２１】
請求項２に記載の発明は、受信アンテナで受信される受信波に含まれる複数の所定チャンネルの高周波信号を周波数変換手段で周波数変換信号に周波数変換し、前記周波数変換信号に基づいて前記複数の所定チャンネル分の復調処理系統で復調処理することで複数チャンネル分の復調信号を生成する受信機であって、前記各復調処理系統で生成される受信感度を示す所定の各信号のレベルを比較し、各信号に対応する前記高周波信号のチャンネルの帯域幅を判定する周波数選択手段と、前記受信感度を示す所定の各信号のレベルに対応する減衰量を設定するゲイン制御手段と、前記受信アンテナと前記周波数変換手段の間に接続され、前記複数の所定チャンネルの高周波信号のうち、前記周波数選択手段で判定される前記帯域幅内の高周波信号を前記ゲイン制御手段で設定される減衰量で減衰させる可変フィルタ手段と、を備えることを特徴とする。
【発明を実施するための最良の形態】
【００２２】
本発明の好適な実施形態について、図２、図３、図４、図５を参照して説明する。図２は、本実施形態の高周波信号受信装置と受信機の構成を表したブロック図、図３と図４は、高周波信号受信装置のより具体的な構成例を表した回路図とブロック図、図５は、機能を説明するための説明図である。
【００２３】
なお、背景技術で説明したのと同様に、衛星ディジタル放送と地上ディジタル放送とを受信し、合計３チャンネル分のサイマル放送を受信する受信機２００に設けられる高周波信号受信装置１００と、その高周波信号受信装置１００を備えた受信機２００について説明することとする。
【００２４】
図２において、本実施形態の高周波信号受信装置１００は、受信機２００の受信アンテナＡＮＴとＲＦアンプ（広帯域ＡＧＣアンプ）４との間に接続されるＲＦフィルタ部１と、ＲＦ自動利得制御部２を備えて構成され、ｎチャンネル（本実施形態では３物理チャンネル）分のサイマル放送等を受信する受信機２００のフロントエンドやアンテナ入力装置等に設けられている。
【００２５】
ＲＦ自動利得制御部２は、受信機２００の３つの復調処理系統ＣＨ1，ＣＨ2，ＣＨnに設けられている復調器１１，１６，２１で生成される検波レベル信号Ｓdc1，Ｓdc2，Ｓdcnを入力し、ＲＦフィルタ部１のフィルタ特性を調整するための制御信号Ｐx，Ｐa〜Ｐmを生成してＲＦフィルタ部１へ供給するようになっている。
【００２６】
ここで、検波レベル信号Ｓdc1，Ｓdc2，Ｓdcnは、ＩＦアンプ１０，１１，１２の増幅率を自動利得制御（ＡＧＣ制御）するために、復調器１１，１６，２１が生成するＡＧＣ電圧信号である。つまり、復調器１１，１６，２１が復調処理する過程で、ＩＦアンプ１０，１１，１２の各出力信号から各Ｉ成分（同相成分）とＱ成分（直交成分）を生成し、そのＩ成分とＱ成分から各希望信号を生成する際に、各Ｉ成分とＱ成分をレベル検波することで、各希望信号のパワーを示す各ＡＧＣ電圧信号を生成する。そして、各ＡＧＣ電圧信号によってＩＦアンプ１０，１１，１２の利得を調整することで、ＡＧＣ制御を行うようになっており、また、各ＡＧＣ電圧信号が検波レベル信号Ｓdc1，Ｓdc2，ＳdcnとしてＲＦ自動利得制御部２に入力されている。したがって、検波レベル信号Ｓdc1，Ｓdc2，Ｓdcnは、各希望信号のパワーを示す信号であり、また、各受信チャンネルＣＨ1，ＣＨ2，ＣＨnの受信感度を示す信号である。
【００２７】
なお、説明の便宜上、各受信チャンネルＣＨ1，ＣＨ2，ＣＨnの受信感度を示す信号を検波レベル信号Ｓdc1，Ｓdc2，Ｓdcnと称しているが、検波レベル信号Ｓdc1，Ｓdc2，Ｓdcnは、各Ｉ成分とＱ成分をレベル検波することによって生成される各希望信号のパワーを示す信号に限らず、各受信チャンネルＣＨ1，ＣＨ2，ＣＨnの受信感度を示す信号であれば、他の信号であってもよい。一具体例として、各復調処理系統ＣＨ1，ＣＨ2，ＣＨnの復調部１１，１６，２１が復調処理を行う過程で検出する復調信号のビットエラーレート（BER：Bit Error Rate)を、各受信チャンネルＣＨ1，ＣＨ2，ＣＨnの受信感度を示す信号（検波レベル信号）Ｓdc1，Ｓdc2，Ｓdcnとして用いるようにしてもよい。ビットエラーレートは、受信感度を反映した信号だからである。
【００２８】
更に、受信機２００の構成を説明すると、高周波信号受信装置１００を備える他、図１に示した従来の受信機と同様の構成となっており、上述のＲＦアンプ４と、周波数変換手段ＣＶとしての初段の混合器５及び局発信号ω0を発生する発振器６と、ＲＦアンプ４をＡＧＣ制御するレベル検波器３と、３つの復調処理系統ＣＨ1，ＣＨ2，ＣＨnとを備えて構成されている。
【００２９】
更に、第１の復調処理系統ＣＨ1は、後段側の第１の混合器７と、選局用の局発信号ω1を発生する局部発振器８、ＩＦフィルタ９、ＩＦアンプ１０、復調器１１を有して構成され、第２の復調処理系統ＣＨ2は、後段側の第２の混合器１２と、選局用の局発信号ω2を発生する局部発振器１３、ＩＦフィルタ１４、ＩＦアンプ１５、復調器１６を有して構成され、第３の復調処理系統ＣＨnは、後段側の第３の混合器１７と、選局用の局発信号ωnを発生する局部発振器１８、ＩＦフィルタ１９、ＩＦアンプ２０、復調器２１を有して構成されている。
【００３０】
なお、復調器１１，１６，２１は、ＩＦアンプ１０，１５，１６を介して供給されるＩＦ信号ＩＦ1，ＩＦ2，ＩＦnに対し、衛星ディジタル放送又は地上ディジタル放送の変調方式に準拠した所定の復調処理を行って、復調信号Ｓ1，Ｓ2，Ｓnを生成する。また、上述したように、復調処理の過程で、検波レベル信号Ｓdc1，Ｓdc2，Ｓdcnを生成して出力する。
【００３１】
そして、ＲＦアンプ４が、ＲＦフィルタ部１を介して供給される高周波信号Ｓcpに対して、レベル検波器３の出力に基づいてＡＧＣ制御によるレベル調整を施して、そのレベル調整を施した高周波信号Ｓagcを混合器５に供給し、混合器５がそのレベル調整された高周波信号Ｓagcと局発信号ω0とを混合することで周波数変換信号Ｓcvを生成し、レベル検波器３と復調処理系統ＣＨ1，ＣＨ2，ＣＨnに供給する。
【００３２】
第１の復調処理系統ＣＨ1では、第１の混合器７が周波数変換信号Ｓcvに、局部発振器８で設定される局発信号ω1を混合することで中間周波数の信号に周波数変換し、更にＩＦフィルタ９が中間周波数の信号からＩＦ信号ＩＦ1を抽出し、ＩＦアンプ１０がそのＩＦ信号ＩＦ1をＡＧＣ制御によって自動的にレベル調整した後、復調器１１が復調処理することで、復調信号Ｓ1を生成する。
【００３３】
第２の復調処理系統ＣＨ2では、第２の混合器１２が周波数変換信号Ｓcvに、局部発振器１３で設定される局発信号ω2を混合することで中間周波数の信号に周波数変換し、更にＩＦフィルタ１４が中間周波数の信号からＩＦ信号ＩＦ2を抽出し、ＩＦアンプ１５がそのＩＦ信号ＩＦ2をＡＧＣ制御によって自動的にレベル調整した後、復調器１６が復調処理することで復調信号Ｓ2を生成する。
【００３４】
第３の復調処理系統ＣＨnでは、第３の混合器１７が周波数変換信号Ｓcvに、局部発振器１８で設定される局発信号ωnを混合することで中間周波数の信号に周波数変換し、更にＩＦフィルタ１９が中間周波数の信号からＩＦ信号ＩＦnを抽出し、ＩＦアンプ２０がそのＩＦ信号ＩＦnをＡＧＣ制御によって自動的にレベル調整した後、復調器２１が復調処理することで復調信号Ｓnを生成する。
【００３５】
図３及び図４を参照して、更に本実施形態の高周波信号受信装置１００のより具体的な構成例について詳述する。
【００３６】
図３に示すように、ＲＦフィルタ部１は、ＲＦフィルタ１ａと、ゲイン制御回路２ａと周波数選択回路２ｃから供給される制御信号Ｐx，Ｐa〜Ｐmに従ってフィルタ特性が変化する可変フィルタ回路１ｂとを有して形成されている。
【００３７】
ＲＦフィルタ１ａは、図１に示した初段のＲＦフィルタと同様の構成及び機能を有し、受信アンテナＡＮＴで受信される高周波数・広帯域の受信波Ｓinから、ｎチャンネル（本実施形態では３物理チャンネル）分の高周波信号Ａ1，Ａ2，Ａnを抽出して通過させる所定の通過帯域幅ＢＷを有するフィルタで形成されている。
【００３８】
可変フィルタ回路１ｂは、図示するようにｍ個（本実施形態では３個）ずつの、高速スイッチングトランジスタＱa，Ｑb，Ｑmと容量可変コンデンサＣa，Ｃb，Ｃmと所定値に設定されたコイルＬa，Ｌb，Ｌmとが、ＲＦフィルタ１ａの出力に並列接続（ラダー接続）されたＬＣフィルタで形成されており、ＲＦフィルタ１ａから出力される高周波信号Ａ1，Ａ2，Ａnに対して、通過帯域幅ＢＷの範囲内の所定の帯域幅（以下「選択帯域幅」と称する）ＢＷiにおいて減衰量αjを可変調整するノッチフィルタとなっている。
【００３９】
そして、高周波信号Ａ1，Ａ2，Ａnのうち選択帯域幅ＢＷi内の高周波信号に対して減衰量αjでレベル調整し、そのレベル調整した高周波信号とレベル調整しない高周波信号とを、レベル調整済み信号ＳcpとしてＲＦアンプ４に供給する。例えば、可変フィルタ回路１ｂは、選択帯域幅ＢＷiを高周波信号Ａ2の帯域幅ＢＷ2に設定する場合には、高周波信号Ａ2を減衰量αjで減衰させ、一方、高周波信号Ａ1，Ａnを減衰させずに、ＲＦアンプ４に供給する。
【００４０】
なお、本実施形態では、コイルＬa，Ｌb，Ｌmは、同じインダクタンスに決められており、容量可変コンデンサＣa，Ｃb，Ｃmは、周波数選択回路２ｃから供給される制御信号Ｐxに従って異なる容量値で変化したり、また、同じ容量値で変化する所謂三連バリコン等で形成されている。
【００４１】
そして、可変フィルタ回路１ｂは、周波数選択回路２ｃから供給される制御信号Ｐxに従って容量可変コンデンサＣa，Ｃb，Ｃmの容量値を変化させ、更にゲイン制御回路２ａから供給される制御信号Ｐa，Ｐb，Ｐmに従ってトランジスタＱa，Ｑb，Ｑmがオン（導通）又はオフ（遮断）動作することで、フィルタ特性である選択帯域幅ＢＷiと減衰量αjを設定して、高周波信号Ａ1，Ａ2，Ａnを選択的にレベル調整する。
【００４２】
ここで、図５（ａ）〜（ｃ）に示すフィルタ特性を参照して、可変フィルタ回路１ｂの機能を説明する。なお、図５（ａ）〜（ｃ）において、横軸は周波数、縦軸は０（ｄＢ）を基準にして減衰量αjを表わしている。
【００４３】
可変フィルタ回路１ｂは、そのフィルタ特性（選択帯域幅ＢＷiと減衰量αj）が制御信号Ｐx，Ｐa，Ｐb，Ｐmに従って可変調整されることで、次の機能を発揮する。
【００４４】
（第１の機能）
まず、図３に示すゲイン制御回路２ａからの制御信号Ｐa，Ｐb，Ｐmに従って、各トランジスタＱa〜Ｑmがオン（導通）又はオフ（遮断）動作する。そして、全てのトランジスタＱa〜Ｑmがオフとなる場合には、コイルＬa〜ＬmとコンデンサＣa〜ＣmがＲＦフィルタ１ａに対して電気的に遮断されるため、可変フィルタ回路１ｂはＬＣフィルタとしての機能を停止して、ＲＦフィルタ１ａから出力される高周波信号Ａ1，Ａ2，ＡnをそのままＲＦアンプ４に供給する。つまり、全てのトランジスタＱa〜Ｑmがオフとなる場合には、可変フィルタ回路１ｂは高周波信号Ａ1，Ａ2，Ａnに対してスルー状態となり、ＲＦフィルタ１ａから出力される高周波信号Ａ1，Ａ2，Ａnに対してレベル調整を行わず、ＲＦアンプ４に供給する。
【００４５】
（第２の機能）
周波数選択回路２ｃからの制御信号Ｐxに従って、コンデンサＣa〜Ｃmの容量値が所定の第１容量値β1（つまり、β1＝Ｃa＝Ｃb＝Ｃm）に調整されると、その第１容量値β1のコンデンサＣa〜Ｃmと、同じインダクタンスのコイルＬa〜Ｌmとによって、図５（ａ）に示すように、可変フィルタ回路１ｂの選択帯域幅ＢＷiが高周波信号Ａ1の帯域幅ＢＷ1に合わせられる。
【００４６】
更に、可変フィルタ回路１ｂの選択帯域幅ＢＷiが高周波信号Ａ1の帯域幅ＢＷ1に合わせられた状態で、同時に、制御信号Ｐaに従ってトランジスタＱaがオン、制御信号Ｐb，Ｐmに従ってトランジスタＱb，Ｑmがオフに設定されると、コンデンサＣaとコイルＬaだけがＲＦフィルタ１ａに対して電気的に接続され、コンデンサＣa，ＣmとコイルＬb，Ｌmは電気的に遮断される。このため、可変フィルタ回路１ｂの選択帯域幅ＢＷi（つまり、ＢＷ1）における減衰量αjが比較的小さな第１減衰量α1に調整され、その第１減衰量α1で高周波信号Ａ1のレベルを調整（減衰）する。
【００４７】
また、可変フィルタ回路１ｂの選択帯域幅ＢＷiが高周波信号Ａ1の帯域幅ＢＷ1に合わせられた状態で、同時に、制御信号Ｐa，Ｐbに従ってトランジスタＱa，Ｑbがオン、制御信号Ｐmに従ってトランジスタＱmがオフに設定されると、コンデンサＣa，ＣbとコイルＬa，ＬbがＲＦフィルタ１ａに対して電気的に接続され、コンデンサＣmとコイルＬmは電気的に遮断される。このため、可変フィルタ回路１ｂの選択帯域幅ＢＷi（つまり、ＢＷ1）における減衰量αjが、第１減衰量α1より大きな第２減衰量α2に調整され、その第２減衰量α2で高周波信号Ａ1のレベルを調整（減衰）する。
【００４８】
また、可変フィルタ回路１ｂの選択帯域幅ＢＷiが高周波信号Ａ1の帯域幅ＢＷ1に合わせられた状態で、同時に、制御信号Ｐa，Ｐb，Ｐmに従って全てのトランジスタＱa，Ｑb，Ｑmがオンに設定されると、全てのコンデンサＣa，Ｃb，ＣmとコイルＬa，Ｌb，ＬmがＲＦフィルタ１ａに対して電気的に接続される。このため、可変フィルタ回路１ｂの選択帯域幅ＢＷi（つまり、ＢＷ1）における減衰量αjが更に第２減衰量α2より大きな第３減衰量αmに調整され、その第３減衰量αmで高周波信号Ａ1のレベルを調整（減衰）する。
【００４９】
このように、可変フィルタ回路１ｂは、トランジスタＱa，Ｑb，Ｑmのうち、オンとなる個数が多くなるほど、コンデンサＣa，Ｃb，ＣmとコイルＬ1，Ｌ2，Ｌmの並列接続される数が多くなって、ＲＦフィルタ１ａの出力に対するインピーダンスが低下することで、帯域幅ＢＷ1内の高周波信号Ａ1に対する減衰量αjが大きくなる。そして、帯域幅ＢＷ1内の高周波信号Ａ1だけを減衰させ、帯域幅ＢＷ2，ＢＷn内の高周波信号Ａ2，Ａnを減衰さぜずにそのまま、ＲＦアンプ４に供給する。
【００５０】
（第３の機能）
周波数選択回路２ｃからの制御信号Ｐxに従って、コンデンサＣa〜Ｃmの容量値が所定の第２容量値β2（つまり、β2＝Ｃa＝Ｃb＝Ｃm）に調整されると、その第２容量値β2のコンデンサＣa〜Ｃmと、同じインダクタンスのコイルＬa〜Ｌmとによって、図５（ｂ）に示すように、可変フィルタ回路１ｂの選択帯域幅ＢＷiが高周波信号Ａ2の帯域幅ＢＷ2に合わせられる。
【００５１】
更に、可変フィルタ回路１ｂの選択帯域幅ＢＷiが高周波信号Ａ2の帯域幅ＢＷ2に合わせられた状態で、同時に、制御信号Ｐaに従ってトランジスタＱaがオン、制御信号Ｐb，Ｐmに従ってトランジスタＱb，Ｑmがオフに設定されると、コンデンサＣaとコイルＬaだけがＲＦフィルタ１ａに対して電気的に接続され、コンデンサＣb，ＣmとコイルＬb，Ｌmは電気的に遮断される。このため、可変フィルタ回路１ｂの選択帯域幅ＢＷi（つまり、ＢＷ2）における減衰量αjが比較的小さな第１減衰量α1に調整される。
【００５２】
また、可変フィルタ回路１ｂの選択帯域幅ＢＷiが高周波信号Ａ2の帯域幅ＢＷ2に合わせられた状態で、同時に、制御信号Ｐa，Ｐbに従ってトランジスタＱa，Ｑbがオン、制御信号Ｐmに従ってトランジスタＱmがオフに設定されると、コンデンサＣa，ＣbとコイルＬa，ＬbがＲＦフィルタ１ａに対して電気的に接続され、コンデンサＣmとコイルＬmは電気的に遮断される。このため、可変フィルタ回路１ｂの選択帯域幅ＢＷi（つまり、ＢＷ2）における減衰量αjが、第１減衰量α1より大きな第２減衰量α2に調整される。
【００５３】
また、可変フィルタ回路１ｂの選択帯域幅ＢＷiが高周波信号Ａ2の帯域幅ＢＷ2に合わせられた状態で、同時に、制御信号Ｐa，Ｐb，Ｐmに従って全てのトランジスタＱa，Ｑb，Ｑmがオンに設定されると、全てのコンデンサＣa，Ｃb，ＣmとコイルＬa，Ｌb，ＬmがＲＦフィルタ１ａに対して電気的に接続される。このため、可変フィルタ回路１ｂの選択帯域幅ＢＷi（つまり、ＢＷ2）における減衰量αjが、更に第２減衰量α2より大きな第３減衰量αmに調整される。
【００５４】
このように、可変フィルタ回路１ｂは、トランジスタＱa，Ｑb，Ｑmのうち、オンとなる個数が多くなるほど、コンデンサＣ1，Ｃ2，ＣmとコイルＬ1，Ｌ2，Ｌmの並列接続される数が多くなって、ＲＦフィルタ１ａの出力に対するインピーダンスが低下することで、帯域幅ＢＷ2内の高周波信号Ａ2に対する減衰量αjが大きくなる。そして、高周波信号Ａ2だけを減衰させ、帯域幅ＢＷ1，ＢＷn内の高周波信号Ａ1，Ａnを減衰さぜずにそのまま、ＲＦアンプ４に供給する。
【００５５】
（第４の機能）
周波数選択回路２ｃからの制御信号Ｐxに従って、コンデンサＣa〜Ｃmの容量値が所定の第３容量値βn（つまり、βn＝Ｃa＝Ｃb＝Ｃm）に調整されると、その第３容量値βnのコンデンサＣa〜Ｃmと、同じインダクタンスのコイルＬa〜Ｌmとによって、図５（ｃ）に示すように、可変フィルタ回路１ｂの選択帯域幅ＢＷiが高周波信号Ａnの帯域幅ＢＷnに合わせられる。
【００５６】
更に、可変フィルタ回路１ｂの選択帯域幅ＢＷiが高周波信号Ａnの帯域幅ＢＷnに合わせられた状態で、同時に、制御信号Ｐaに従ってトランジスタＱaがオン、制御信号Ｐb，Ｐmに従ってトランジスタＱb，Ｑmがオフに設定されると、コンデンサＣaとコイルＬaだけがＲＦフィルタ１ａに対して電気的に接続され、コンデンサＣa，ＣmとコイルＬb，Ｌmは電気的に遮断される。このため、可変フィルタ回路１ｂの選択帯域幅ＢＷi（つまり、ＢＷn）における減衰量αjが比較的小さな第１減衰量α1に調整される。
【００５７】
また、可変フィルタ回路１ｂの選択帯域幅ＢＷiが高周波信号Ａnの帯域幅ＢＷnに合わせられた状態で、同時に、制御信号Ｐa，Ｐbに従ってトランジスタＱa，Ｑbがオン、制御信号Ｐmに従ってトランジスタＱmがオフに設定されると、コンデンサＣa，ＣbとコイルＬa，ＬbがＲＦフィルタ１ａに対して電気的に接続され、コンデンサＣmとコイルＬmは電気的に遮断される。このため、可変フィルタ回路１ｂの選択帯域幅ＢＷi（つまり、ＢＷn）における減衰量αjが第１減衰量α1より大きな第２減衰量α2に調整される。
【００５８】
また、可変フィルタ回路１ｂの選択帯域幅ＢＷiが高周波信号Ａnの帯域幅ＢＷnに合わせられた状態で、同時に、制御信号Ｐa，Ｐb，Ｐmに従って全てのトランジスタＱa，Ｑb，Ｑmがオンに設定されると、全てのコンデンサＣa，Ｃb，ＣmとコイルＬa，Ｌb，ＬmがＲＦフィルタ１ａに対して電気的に接続される。このため、可変フィルタ回路１ｂの選択帯域幅ＢＷi（つまり、ＢＷn）における減衰量αjが更に第２減衰量α2より大きな第３減衰量αmに調整される。
【００５９】
このように、可変フィルタ回路１ｂは、トランジスタＱa，Ｑb，Ｑmのうち、オンとなる個数が多くなるほど、コンデンサＣa，Ｃb，ＣmとコイルＬ1，Ｌ2，Ｌmの並列接続される数が多くなって、ＲＦフィルタ１ａの出力に対するインピーダンスが低下することで、帯域幅ＢＷn内の高周波信号Ａnに対する減衰量αjが大きくなる。そして、高周波信号Ａnだけを減衰させ、帯域幅ＢＷ1，ＢＷ2内の高周波信号Ａ1，Ａ2を減衰さぜずにそのまま、ＲＦアンプ４に供給する。
【００６０】
以上、可変フィルタ回路１ｂの機能について説明した。 
次に、ＲＦ自動利得制御部２は、図３に示すように、値の異なる複数個（ｍ＋１）のスケールファクタとしての直流電圧（以下「参照電圧」と称する）Ｖref1〜Ｖrefm+1を発生する基準電圧源２ｂと、上述したゲイン制御回路２ａと周波数選択回路２ｃとを有して構成されている。
【００６１】
ゲイン制御回路２ａは、図４のブロック図に示す構成となっており、検波レベル信号Ｓdc1，Ｓdc2，Ｓdcnのレベル（電圧）を比較して、最も大きいレベルの検波レベル信号を選択する比較器２aaと、その選択された検波レベル信号によって検波レベル信号Ｓdc1，Ｓdc2，Ｓdcnを除算（割り算）処理することで、最大レベルを「１」とする正規化した検波レベル信号ΔＳdc1，ΔＳdc2，ΔＳdcnを生成する正規化回路２abと、正規化した検波レベル信号（以下、「正規化検波レベル信号」と称する）ΔＳdc1，ΔＳdc2，ΔＳdcnの加算平均値ＡＶＬを演算する平均値演算回路２acと、上述の最も大きいレベルの検波レベル信号に当たる正規化検波レベル信号と加算平均値ＡＶＬとの差の電圧（差電圧）ΔＥを演算する差電圧演算回路２adと、差電圧ΔＥと参照電圧Ｖref1〜Ｖrefm+1を比較する複数個（ｍ＋１）のコンパレータ２aeと、そのコンパレータ２aeの（ｍ＋１）個の比較結果CMをデコードすることにより、上述の比較器２abで選択された最も大きいレベルの検波レベル信号のレベルに応じて、トランジスタＱa，Ｑb，Ｑcを選択的にオン／オフ切替えして、可変フィルタ回路１ｂの減衰量αjを調整するための制御信号Ｐa，Ｐb，Ｐmを生成するデコーダ回路２afと、を有して形成されている。
【００６２】
かかる構成を有するゲイン制御回路２ａによると、入力される検波レベル信号Ｓdc1，Ｓdc2，Ｓdcnのうち、最も大きいレベルとなっている検波レベル信号に応じて、減衰量αjを設定するための制御信号Ｐa，Ｐb，Ｐmが生成される。
【００６３】
つまり、上述の比較器２aaが、検波レベル信号Ｓdc1，Ｓdc2，Ｓdcnのレベルを比較し、最も大きいレベルの検波レベル信号Ｓdc1を選択した場合、正規化回路２abが、最大レベルを「１」とする正規化した検波レベル信号ΔＳdc1，ΔＳdc2，ΔＳdcnを生成し、検波レベル信号ΔＳdc1は「１」となる。次に、平均値演算回路２acが、正規化検波レベル信号ΔＳdc1，ΔＳdc2，ΔＳdcnの加算平均値ＡＶＬを演算し、次に、差電圧演算回路２adが、最も大きいレベルの検波レベル信号Ｓdc1に当たる正規化検波レベル信号ΔＳdc1と加算平均値ＡＶＬとの差電圧ΔＥを演算する。
【００６４】
更に、複数個（ｍ＋１）のコンパレータ２aeが、差電圧ΔＥと参照電圧Ｖref1〜Ｖrefm+1を比較する。ここで、差電圧ΔＥが正規化検波レベル信号ΔＳdc1，ΔＳdc2，ΔＳdcnに基づいて生成されるものであることから、予め参照電圧Ｖref1〜Ｖrefm+1は、０＜Ｖref1＜Ｖref2＜Ｖrefm＜Ｖrefm+1＝１の関係に設定されており、（ｍ＋１）個の各コンパレータ２aeが、各参照電圧Ｖref1〜Ｖrefm+1と差電圧ΔＥとを比較し、合計で（ｍ＋１）個の比較結果ＣＭを出力する。例えば、０≦ΔＥ＜Ｖref1であれば、比較結果ＣＭは、論理値で（０，０，０，０）となり、Ｖref1≦ΔＥ＜Ｖref2であれば、比較結果ＣＭは（１，０，０，０）となり、Ｖref2≦ΔＥ＜Ｖrefmであれば、比較結果ＣＭは（１，１，０，０）となり、Ｖrefm≦ΔＥ＜Ｖrefm+１であれば、比較結果ＣＭは（１，１，１，０）となり、Ｖrefm+1≦ΔＥであれば、比較結果ＣＭは（１，１，１，１）となる。
【００６５】
そして、上述のデコーダ回路２afが、比較結果ＣＭをデコードすることで、次の表１で表される関係に基づいて、減衰量αjを設定するための制御信号Ｐa，Ｐb，Ｐmを論理信号として生成する。
【００６６】
【表１】
2008103848.tif 000003
【００６７】
なお、比較器２aaが検波レベル信号Ｓdc1，Ｓdc2，Ｓdcnのレベルを比較し、最も大きいレベルの検波レベル信号Ｓdc1を選択した場合での、減衰量αjを設定するための制御信号Ｐa，Ｐb，Ｐmの生成過程について説明したが、比較器２aaが検波レベル信号Ｓdc1，Ｓdc2，Ｓdcnのレベルを比較し、最も大きいレベルの検波レベル信号Ｓdc2を選択した場合にも、減衰量αjを設定するための制御信号Ｐa，Ｐb，Ｐmが同様の生成過程で生成され、比較器２aaが検波レベル信号Ｓdc1，Ｓdc2，Ｓdcnのレベルを比較し、最も大きいレベルの検波レベル信号Ｓdcnを選択した場合にも、減衰量αjを設定するための制御信号Ｐa，Ｐb，Ｐmが同様の生成過程で生成される。
【００６８】
次に、周波数選択回路２ｃは、検波レベル信号Ｓdc1，Ｓdc2，Ｓdcnをコンパレータ等で比較し、最も大きいレベルとなっている検波レベル信号を判定し、制御信号ＰxによってコンデンサＣa，Ｃb，Ｃmの容量値を調整することで、可変フィルタ回路１ｂの選択帯域幅ＢＷiを、その最も高レベルとなっている検波レベル信号が生成されたチャンネルの帯域幅に設定する。
【００６９】
より詳細に述べると、周波数選択回路２ｃには、第１，第２，第３の容量値β1，β2，βnのデータを格納するメモリ等が設けられている。そして、それらの容量値β1，β2，βnのデータのうち、上述の判定した最も大きいレベルとなっている検波レベル信号に対応するデータを制御信号Ｐxとして可変フィルタ回路１ｂに供給し、コンデンサＣa，Ｃb，Ｃmを調整する。
【００７０】
つまり、周波数選択回路２ｃは、検波レベル信号Ｓdc1が最も大きいレベルとなっていると判定した場合、第１容量値β1のデータを制御信号Ｐxとして可変フィルタ回路１ｂに供給し、コンデンサＣa，Ｃb，Ｃmを第１容量値β1に調整する。これにより、可変フィルタ回路１ｂの選択帯域幅ＢＷiを、図５（ａ）に示した帯域幅ＢＷ1に合わせる。
【００７１】
また、検波レベル信号Ｓdc2が最も大きいレベルとなっていると判定した場合、第２容量値β2のデータを制御信号Ｐxとして可変フィルタ回路１ｂに供給し、コンデンサＣa，Ｃb，Ｃmを第２容量値β2に調整する。これにより、可変フィルタ回路１ｂの選択帯域幅ＢＷiを、図５（ｂ）に示した帯域幅ＢＷ2に合わせる。
【００７２】
また、検波レベル信号Ｓdc2が最も大きいレベルとなっていると判定した場合、第３容量値βnのデータを制御信号Ｐxとして可変フィルタ回路１ｂに供給し、コンデンサＣa，Ｃb，Ｃmを第３容量値βnに調整する。これにより、可変フィルタ回路１ｂの選択帯域幅ＢＷiを、図５（ｃ）に示した帯域幅ＢＷnに合わせる。
【００７３】
次に、かかる構成を有する高周波信号受信装置１００の動作を説明する。 
まず、例えば受信状態が良好で、受信波Ｓinに含まれる高周波信号Ａ1，Ａ2，Ａnがほぼ同じレベルのときには、復調処理系統ＣＨ1，ＣＨ2，ＣＨn内の復調器１１，１６，２１で生成される検波レベル信号Ｓdc1，Ｓdc2，Ｓdcnもほぼ同じレベルとなる。このため、ＲＦ自動利得制御部２内のゲイン制御回路２ａが、検波レベル信号Ｓdc1，Ｓdc2，Ｓdcnを同じレベルと判定する。つまり、差電圧ΔＥと参照電圧Ｖref1〜Ｖrefm+1を比較すると、０≦ΔＥ＜Ｖref1の関係が満たされるため、検波レベル信号Ｓdc1，Ｓdc2，Ｓdcnを同じレベルと判定する。そして、トランジスタＱa，Ｑb，Ｑmを全てオフにするための制御信号Ｐa，Ｐb，Ｐmを可変フィルタ回路１ｂに供給し、可変フィルタ回路１ｂを実質的に動作停止状態にする。つまり、可変フィルタ回路１ｂが高周波信号Ａ1，Ａ2，Ａnに対しスルーの状態となる。
【００７４】
更に、周波数選択回路２ｃは、検波レベル信号Ｓdc1，Ｓdc2，Ｓdcnが同じレベルのときには、制御信号ＰxによってコンデンサＣa，Ｃb，Ｃmを適宜の容量値に調整する。しかし、ゲイン制御回路２ａによって可変フィルタ回路１ｂが実質的に動作停止状態となるため、周波数選択回路２ｃは可変フィルタ回路１ｂに対する制御には寄与しなくなる。
【００７５】
一方、例えば受信状態が悪化し、検波レベル信号Ｓdc1，Ｓdc2，Ｓdcnが異なったレベルとなった場合、周波数選択回路２ｃが、検波レベル信号Ｓdc1，Ｓdc2，Ｓdcnのレベルを比較することで、最も大きいレベルの検波レベル信号を判定する。そして、最も大きいレベルの検波レベル信号が検波レベル信号Ｓdc1である場合、周波数選択回路２ｃは可変フィルタ回路１ｂの選択帯域幅ＢＷiを帯域幅ＢＷ1に設定させ、更に、ゲイン制御回路２ａが検波レベル信号Ｓdc1のレベルを検知して、制御信号Ｐa，Ｐb，Ｐmによって、トランジスタＱa，Ｑb，Ｑmをオン又はオフ制御することで、図５（ａ）に示したように、帯域幅ＢＷ1における減衰量αjを調整させる。
【００７６】
これにより、可変フィルタ回路１ｂで高周波信号Ａ1，Ａ2，Ａnのレベルがほぼ同じレベルとなるように、ＡＧＣ制御によるレベル調整が行われて、ＲＦアンプ４に供給することとなる。この結果、各復調処理系統ＣＨ1，ＣＨ2，ＣＨnに設けられているＩＦフィルタ９，１４，１９から出力されるＩＦ信号ＩＦ1，ＩＦ2，ＩＦnのレベルをほぼ同じレベルとすることが可能となり、復調器１１，１６，２１が復調不能となったり、復調信号Ｓ1，Ｓ3，Ｓnの信号対雑音比（ＳＮ比）が悪化する等の問題を改善することができる。
【００７７】
また、周波数選択回路２ｃが、検波レベル信号Ｓdc1，Ｓdc2，Ｓdcnのレベルを比較した結果、最も大きいレベルの検波レベル信号が検波レベル信号Ｓdc2であった場合、周波数選択回路２ｃは可変フィルタ回路１ｂの選択帯域幅ＢＷiを帯域幅ＢＷ2に設定させ、更に、ゲイン制御回路２ａが検波レベル信号Ｓdc1のレベルを検知して、制御信号Ｐa，Ｐb，Ｐmによって、トランジスタＱa，Ｑb，Ｑmをオン又はオフ制御することで、図５（ｂ）に示したように、帯域幅ＢＷ2における減衰量αjを調整させる。
【００７８】
これにより、可変フィルタ回路１ｂで高周波信号Ａ1，Ａ2，Ａnのレベルがほぼ同じレベルとなるように、ＡＧＣ制御によるレベル調整が行われて、ＲＦアンプ４に供給することとなる。この結果、各復調処理系統ＣＨ1，ＣＨ2，ＣＨnに設けられているＩＦフィルタ９，１４，１９から出力されるＩＦ信号ＩＦ1，ＩＦ2，ＩＦnのレベルをほぼ同じレベルとすることが可能となり、復調器１１，１６，２１が復調不能となったり、復調信号Ｓ1，Ｓ3，Ｓnの信号対雑音比（ＳＮ比）が悪化する等の問題を改善することができる。
【００７９】
また、周波数選択回路２ｃが、検波レベル信号Ｓdc1，Ｓdc2，Ｓdcnのレベルを比較した結果、最も大きいレベルの検波レベル信号が検波レベル信号Ｓdcnであった場合、周波数選択回路２ｃは可変フィルタ回路１ｂの選択帯域幅ＢＷiを帯域幅ＢＷ3に設定させ、更に、ゲイン制御回路２ａが検波レベル信号Ｓdcn1のレベルを検知して、制御信号Ｐa，Ｐb，Ｐmによって、トランジスタＱa，Ｑb，Ｑmをオン又はオフ制御することで、図５（ｃ）に示したように、帯域幅ＢＷ3における減衰量αjを調整させる。
【００８０】
これにより、可変フィルタ回路１ｂで高周波信号Ａ1，Ａ2，Ａnのレベルがほぼ同じレベルとなるように、ＡＧＣ制御によるレベル調整が行われて、ＲＦアンプ４に供給することとなる。この結果、各復調処理系統ＣＨ1，ＣＨ2，ＣＨnに設けられているＩＦフィルタ９，１４，１９から出力されるＩＦ信号ＩＦ1，ＩＦ2，ＩＦnのレベルをほぼ同じレベルとすることが可能となり、復調器１１，１６，２１が復調不能となったり、復調信号Ｓ1，Ｓ3，Ｓnの信号対雑音比（ＳＮ比）が悪化する等の問題を改善することができる。
【００８１】
以上説明したように、本実施形態の高周波信号受信装置１００によれば、ＲＦ自動利得制御部２において、検波レベル信号Ｓdc1，Ｓdc2，Ｓdcnのレベルを比較し、最もレベルの大きい検波レベル信号に対応する選択通過帯域ＢＷi内の高周波信号（Ａ1，Ａ2，Ａnの何れかの高周波信号）に対して、減衰量αjでレベル調整するように、ＲＦフィルタ部１内のフィルタ回路１ａのフィルタ特性を調整するので、受信波Ｓinに含まれている複数の高周波信号Ａ1，Ａ2，Ａnのレベルを同レベルにすべくＡＧＣ制御することができる。そして、同レベルにＡＧＣ制御した複数の高周波信号Ａ1，Ａ2，Ａnを、受信機２００内の混合器５で周波数変換させて周波数変換信号Ｓcvを生成させ、複数の復調処理系統ＣＨ1，ＣＨ2，ＣＨnで復調させると、復調不能となったり復調信号Ｓ1，Ｓ2，ＳnのＳＮ比が悪化する等の問題を改善することができる。
【００８２】
なお、以上に説明した実施形態では、可変フィルタ回路１ｂの減衰量αjを３段階（ｍ＝３）に調整することとしているが、更に多くの段数で調整するようにしてもよい。つまり、図３に示したコイルＬa，Ｌb，ＬmとコンデンサＣa，Ｃb，ＣmとトランジスタＱa，Ｑb，Ｑmで構成されているＬＣフィルタの並列接続段数を増やし、ゲイン制御回路２ａが検波レベル信号Ｓdc1〜Ｓdcnをより細かくレベル判定して、その増やしたトランジスタをオン又はオフ制御することで、可変フィルタ回路１ｂの減衰量αjを３段階より増やしてもよい。かかる構成によれば、高周波信号Ａ1，Ａ2，Ａnをより細かくレベル調整することができるため、より精度の良いＡＧＣ制御を行うことができる。
【００８３】
また、図３に示した可変フィルタ回路１ｂは、実施する際の一具体例であり、これと同等の機能を発揮するフィルタ回路であれば、他の回路構成のものでもよい。但し、高周波信号に対してフィルタ特性を可変調整する必要上、ＬＣフィルタの構成とすることが望ましい。
【００８４】
また、復調処理系統ＣＨ1，ＣＨ2，ＣＨnを備えて３チャンネル分の高周波信号Ａ1，Ａ2，Ａnを受信する受信機２００に設けられる高周波信号受信装置１００について説明したが、本発明の高周波信号受信装置は、２チャンネル分の復調処理系統を備える受信機にも適用することが可能であり、また、４チャンネル以上の復調処理系統を備える受信機にも適用することが可能である。
【００８５】
つまり、ＲＦ自動利得制御部２でレベル比較する検波レベル信号の数を復調処理系統の数に合わせて設定し、最も大きいレベルの検波レベル信号に対応する選択帯域幅内の高周波信号に対して、減衰量αjを調整するように、可変フィルタ回路１ｂのフィルタ特性を制御すればよい。
【００８６】
また、以上の説明では、ＲＦ自動利得制御部２は、各復調処理系統ＣＨ1，ＣＨ2，ＣＨnが復調処理の過程で各希望信号をレベル検波することで生成する各受信感度を示すＡＧＣ信号を検波レベル信号Ｓdc1，Ｓdc2，Ｓdcnとして入力し、レベル比較と高周波信号の選択帯域幅ＢＷiを判定して、可変フィルタ回路１ｂをＡＧＣ制御しているが、各受信感度を示す信号であれば、ＡＧＣ信号以外の信号を検波レベル信号Ｓdc1，Ｓdc2，Ｓdcnとして用いてもよい。例えば、各希望信号を検波レベル信号Ｓdc1，Ｓdc2，Ｓdcnとして用いてもよい。また、ＩＦ信号ＩＦ1，ＩＦ2，ＩＦnを検波レベル信号Ｓdc1，Ｓdc2，Ｓdcnとして用いてもよい。各復調器１１，１６，２１で復調される復調信号Ｓ1，Ｓ2，Ｓnを検波レベル信号Ｓdc1，Ｓdc2，Ｓdcnとして用いてもよい。
【００８７】
また、図２、図３に示した高周波信号受信装置１００では、受信波Ｓinから高周波信号Ａ1，Ａ2，Ａnを抽出する通過帯域幅ＢＷのＲＦフィルタ１ａが備えられているが、一般に受信機に設けられているＲＦフィルタを用いればよいので、ＲＦフィルタ１ａをその受信機のＲＦフィルタとすればよい。
【図面の簡単な説明】
【００８８】
【図１】衛星ディジタル放送と地上ディジタル放送を受信する従来の受信機の構成を表したブロック図である。
【図２】実施形態の高周波信号受信装置の構成を表したブロック図である。
【図３】図２に示した高周波信号受信装置の具体例の構成を表した回路図である。
【図４】更に、図２に示した高周波信号受信装置の具体例の構成を表したブロック図である。
【図５】図３、図４に示した高周波信号受信装置の機能を説明するための説明である。
【符号の説明】
【００８９】
１ｂ…可変フィルタ回路            ２ａ…ゲイン制御回路
２ｂ…周波数選択回路              １００…高周波信号受信装置
２００…受信機                    ＣＶ…周波数変換手段
ＣＨ1，ＣＨ2，ＣＨn…復調処理系統
【図１】
2008103848.tif 000004
【図２】
2008103848.tif 000005
【図３】
2008103848.tif 000006
【図４】
2008103848.tif 000007
【図５】
2008103848.tif 000008